(57)【要約】【課題】使用者の患部に６〜４２℃の暖気または冷気と共に遠赤外線を照射することができる熱電素子を用いた冷温熱湿布器具を提供する。【解決手段】本発明の熱電素子を用いた冷温熱湿布器具は、上下が開放され、下端部に支持ジョーが内側に水平に延びた筒状のケース、遠赤外線を放出する素材で構成され、上端部に係止ジョーが外側に水平に延び、上方が開放された収納空間を有し、ケースに結合される容器状の遠赤外線セラミック板、遠赤外線セラミック板の上部に固定され、遠赤外線セラミック板に熱を加える熱電素子、ケースの上部に結合され、遠赤外線セラミック板を固定するカバー、および熱電素子に供給される電流の方向と電流の強度を調節する温度調節回路部を含んで構成されることを特徴とする。【選択図】図３
2018094398.tif 000002
【特許請求の範囲】
【請求項１】
上下が開放され、下端部に支持ジョーが内側に水平に延びた筒状のケース、
遠赤外線を放出する素材で構成され、上端部に係止ジョーが外側に水平に延び、上方が開放された収納空間を有し、前記ケース内に結合される容器状の遠赤外線セラミック板、
前記遠赤外線セラミック板の上部に固定され、前記遠赤外線セラミック板に熱を加える熱電素子、
前記ケースの上部に結合され、前記遠赤外線セラミック板を固定するカバー、および
前記熱電素子に供給される電流の方向と電流の強度を調節する温度調節回路部
を含んで構成されたことを特徴とする熱電素子を用いた冷温熱湿布器具。
【請求項２】
前記遠赤外線セラミック板は、底面の中央が凸状に突出した曲面であることを特徴とする請求項１に記載の熱電素子を用いた冷温熱湿布器具。
【請求項３】
前記遠赤外線セラミック板は、カオリン３３〜３７重量％、スポジュメン２７〜３３重量％、滑石７〜１０重量％、粘土７〜１０重量％、長石７〜１０重量％およびセリサイト１１〜１５重量％で構成されることを特徴とする請求項１または２に記載の熱電素子を用いた冷温熱湿布器具。
【請求項４】
前記カバーの上面に形成された一つ以上のベルトかけ、および
前記ベルトかけに入れられて温冷熱湿布器具を人体に固定する固定ベルト
がさらに備えられたことを特徴とする請求項１に記載の熱電素子を用いた冷温熱湿布器具。
【請求項５】
前記熱電素子に設けられた送風ファンがさらに備えられ、前記遠赤外線セラミック板または前記カバーには、一つ以上の送風口が形成されたことを特徴とする請求項１に記載の熱電素子を用いた冷温熱湿布器具。
【請求項６】
前記遠赤外線セラミック板の上部に固定パネルが配置され、前記固定パネルは、その外郭が前記遠赤外線セラミック板と前記カバーとの間に固定され、前記固定パネルには、前記電源部と前記制御部および前記温度調節部が固定されたことを特徴とする請求項１に記載の熱電素子を用いた冷温熱湿布器具。
【請求項７】
前記温度調節回路部は、
電源を供給する電源部、
前記電源部から供給される電源を「オン／オフ」させる電源スイッチ、
前記遠赤外線セラミック板と前記熱電素子との間に配置された温度センサ、
特定温度や冷熱湿布モードまたは温熱湿布モードを設定する温度調節スイッチ、
前記温度調節スイッチにより設定された特定温度や冷熱湿布モードまたは温熱湿布モードによって前記熱電素子に供給される電流の方向と電流の強度を制御する制御部、および
前記制御部の制御で前記電源部から前記熱電素子に供給される電流の方向と電流の強度を調節する温度調節部
を含んで構成されたことを特徴とする請求項１に記載の熱電素子を用いた冷温熱湿布器具。
【請求項８】
前記温度調節回路部は、
前記制御部に時刻情報を提供するタイマー、および
作動時間を設定する作動時間設定部がさらに備えられ、
前記制御部は、
前記タイマーから提供される時刻情報をカウンティングし、前記作動時間設定部により設定された作動時間の間、前記電源部から前記熱電素子に電流が供給されるように制御することを特徴とする請求項７に記載の熱電素子を用いた冷温熱湿布器具。
【請求項９】
前記制御部は、
冷湿布モードや温湿布モードまたは冷温湿布並行モードを選択的に遂行できるように前記熱電素子に供給される電流の方向と電流の強度を調節することを特徴とする請求項７に記載の熱電素子を用いた冷温熱湿布器具。
【請求項１０】
前記電源部がバッテリーで構成された場合、
前記ケースまたは前記カバーにその一部が外部に露出するように設けられた充電端子、および
前記充電端子と前記電源部との間に構成され、前記充電端子を通して前記電源部に供給される電源の充電を調節する充電調節部
が備えられたことを特徴とする請求項７に記載の熱電素子を用いた冷温熱湿布器具。
【発明の詳細な説明】
【技術分野】
【０００１】
本発明は、熱電素子を用いた冷温熱湿布器具に係り、より詳しくは、使用者の患部に熱電素子により形成される６〜４２℃の暖気または冷気と共に遠赤外線セラミック板から放出される遠赤外線を照射することができる熱電素子を用いた冷温熱湿布器具に関する。
【背景技術】
【０００２】
一般に、湿布器具は、水を冷温媒体として利用し、器具内部の空間に収容して熱を加えるか、または凍らせて患部に接触させて湿布をする方式を用いている。このような従来の湿布器具は、加熱するか、または凍らせるための時間が必要となり、使用者の所望の温度を所望の時間維持することが容易ではなかった。
そこで、従来は、上記の湿布器具の短所を克服するために発熱および吸熱機能を有する熱電素子を冷温湿布器具に組み込む研究が進められていた。
特許文献１には「熱電素子を用いた冷温兼用湿布器具」が開示されているが、これは、熱電素子の一端に接する温湿布部、熱電素子の他端に接する冷湿布部、および両湿布部それぞれに備えられて温度を測定する温度センサを含み、温度センサの値を利用して使用者が設定した温度に湿布部の温度を調節するものである。
【０００３】
しかし、温度センサは、熱電素子に接する湿布部自体の温度を測定するものであって、使用者の皮膚の温度を測定するものではなかった。即ち、湿布部自体の温度を設定し、それを調節するものであって、使用者が直接的に感じる患部の温度ではないため、使用者の満足度が低下することはもちろん、長期間の使用時、使用者も気づかずに低温熱傷や熱性紅斑のような皮膚損傷を引き起こす虞があった。
そこで使用者が患部の温度を設定し、その温度に調節することができる、例えば、皮膚の温度としての３５℃の冷湿布または３９℃の温湿布を遂行することができる冷温湿布器具の開発が求められていた。
さらに、従来の冷温兼用湿布器具は、冷温媒体として水を使用し、熱伝導体として金属を使用していたために、器具から電磁波が発生し、使用者の健康に悪影響を及ぼす虞があるという問題点もあった。
【先行技術文献】
【特許文献】
【０００４】
【特許文献１】大韓民国公開特許公報第１０−２００４−００２１８２９号
【発明の概要】
【発明が解決しようとする課題】
【０００５】
本発明は、上述した従来の技術的問題点を解決するためになされたものであって、その目的とするところは、使用者の患部に６〜４２℃の暖気または冷気と共に遠赤外線を照射することができる熱電素子を用いた冷温熱湿布器具を提供することにある。
【課題を解決するための手段】
【０００６】
上記目的を達成するためなされた本発明の熱電素子を用いた冷温熱湿布器具は、上下が開放され、下端部に支持ジョーが内側に水平に延びた筒状のケース、遠赤外線を放出する素材で構成され、上端部に係止ジョーが外側に水平に延び、上方が開放された収納空間を有し、ケースに結合される容器状の遠赤外線セラミック板、遠赤外線セラミック板の上部に固定され、遠赤外線セラミック板に熱を加える熱電素子、ケースの上部に結合され、遠赤外線セラミック板を固定するカバー、および熱電素子に供給される電流の方向と電流の強度を調節する温度調節回路部を含んで構成されることを特徴とする。
【０００７】
本発明の熱電素子を用いた冷温熱湿布器具において、遠赤外線セラミック板は、底面の中央が凸状に突出した曲面であることができる。
遠赤外線セラミック板は、カオリン３３〜３７重量％、スポジュメン２７〜３３重量％、滑石７〜１０重量％、粘土７〜１０重量％、長石７〜１０重量％およびセリサイト１１〜１５重量％で構成されることが好ましい。
カバーの上面に形成された一つ以上のベルトかけ、およびベルトかけに入れられて温冷熱湿布器具を人体に固定する固定ベルトがさらに備えられることがよい。
【０００８】
本発明の熱電素子を用いた冷温熱湿布器具において、熱電素子に設けられた送風ファンがさらに備えられ、遠赤外線セラミック板またはカバーには、一つ以上の送風口が形成されることがよい。
遠赤外線セラミック板の上部に固定パネルが配置され、固定パネルは、その外郭が遠赤外線セラミック板とカバーとの間に固定され、固定パネルには、電源部と制御部および温度調節部が固定されることができる。
温度調節回路部は、電源を供給する電源部、電源部から供給される電源を「オン／オフ」させる電源スイッチ、遠赤外線セラミック板と熱電素子との間に配置された温度センサ、特定温度や冷熱湿布モードまたは温熱湿布モードを設定する温度調節スイッチ、温度調節スイッチにより設定された特定温度や冷熱湿布モードまたは温熱湿布モードによって熱電素子に供給される電流の方向と電流の強度を制御する制御部、および制御部の制御で電源部から熱電素子に供給される電流の方向と電流の強度を調節する温度調節部を含んで構成されることが好ましい。
【０００９】
本発明の熱電素子を用いた冷温熱湿布器具において、温度調節回路部は、制御部に時刻情報を提供するタイマー、および作動時間を設定する作動時間設定部がさらに備えられ、制御部は、タイマーから提供される時刻情報をカウンティングし、作動時間設定部により設定された作動時間の間、電源部から熱電素子に電流が供給されるように制御することができる。
制御部は、冷湿布モードや温湿布モードまたは冷温湿布並行モードを選択的に遂行できるように熱電素子に供給される電流の方向と電流の強度を調節することがよい。
電源部がバッテリーで構成された場合、ケースまたはカバーにその一部が外部に露出するように設けられた充電端子、および充電端子と電源部との間に構成され、充電端子を通して電源部に供給される電源の充電を調節する充電調節部が備えられることが好ましい。
【発明の効果】
【００１０】
本発明によれば、熱が加えられたとき遠赤外線を放出する遠赤外線セラミック板で構成し、遠赤外線セラミック板に暖気や冷気を選択的に供給できる熱電素子を取り付けた冷温熱湿布器具を、人体、即ち患部に直接接触させることにより、使用者の患部に遠赤外線を照射しながら冷熱湿布または温熱湿布をすることができる効果がある。
また、本発明は、遠赤外線セラミック板の底面中央が凸状に突出した曲面形状であることで患部との密着性を高めることができる。
さらに、遠赤外線セラミック板がカオリン、スポジュメン、滑石、粘土、長石およびセリサイトで構成され、効率よく遠赤外線を放出することができ、また成形が容易であり、強度を維持することができる。
またさらに、カバーに固定ベルトを入れるベルトかけを形成することで冷温熱湿布器具を腰や脚などの人体の患部に固定することができる。
さらにまた、ケース内に熱電素子に近接すして送風ファンを設け、内部空気を循環させることにより、熱電素子の過熱を防止する効果がある。
【００１１】
また、本発明によると、ケース内に固定パネルを組み込み、それに電源部、制御部、および温度調節部などを配置することで冷温熱湿布器具と外部電源との接続が容易になり、使用者の所望の温度や冷熱湿布モードまたは温熱湿布モード等の選択が容易にでき、遠赤外線照射時間と冷熱湿布や温熱湿布の時間を使用者の所望時間に調節することができる。
そして、本発明は、熱電素子と送風ファンなどに電源を供給する電源部をバッテリーで構成し、バッテリー電源を随時充電することで、冷温熱湿布器具をいつでもどこでも使用することができる。
【図面の簡単な説明】
【００１２】
【図１】本発明の一実施例に係る熱電素子を用いた冷温熱湿布器具の斜視図。
【図２】固定ベルトを含む図１に示した冷温熱湿布器具の正面図。
【図３】図１に示した冷温熱湿布器具の側断面図。
【図４】図１に示した冷温熱湿布器具の温度調節回路部の構成図。
【図５】図１に示した冷温熱湿布器具の作動を説明するためのフローチャート。
【発明を実施するための形態】
【００１３】
以下、本発明の熱電素子を用いた冷温熱湿布器具について詳しく説明する。
図１は、本発明の一実施例に係る熱電素子を用いた冷温熱湿布器具の斜視図であり、図２は、固定ベルトを含む図１に示した冷温熱湿布器具の正面図であり、図３は、図１に示した冷温熱湿布器具の側断面図である。
本発明の一実施例に係る熱電素子を用いた冷温熱湿布器具は、図１乃至図３に示したように、円筒状のケース１００、容器状の遠赤外線セラミック板２００、ペルチェ素子でなる熱電素子３００、カバー４００および温度調節回路部５００から構成される。
【００１４】
円筒状のケース１００は、プラスチック材質などで成形され、遠赤外線セラミック板２００、熱電素子３００、送風ファン５６１、固定パネル５７１および温度調節回路部５００の各構成を収納できるように上下が開放された内部空間を有し、下端部には、ケース１００に係止された遠赤外線セラミック板２００が取り付けられる。ケース１００には、遠赤外線セラミック板２００が外部に抜け落ちないように保持する支持ジョー１１０が内側の縁部に水平に延びて構成される。
遠赤外線セラミック板２００は、遠赤外線を放出する素材で構成され、容器形状に成形される。遠赤外線セラミック板２００の上端部は、ケース１００の支持ジョー１１０に対応する係止ジョー２１０が外側に水平に延びて形成される。容器形状の遠赤外線セラミック板２００の内側は、熱電素子３００、送風ファン５６１を収納できるように上方が開放された収納空間２２０を有し、ケース１００に結合される。従って、ケース１００に遠赤外線セラミック板２００を結合したとき、遠赤外線セラミック板２００の係止ジョー２１０がケース１００の支持ジョー１１０に係止されて遠赤外線セラミック板２００がケース１００から脱落しない。
【００１５】
上記の実施例において、遠赤外線セラミック板２００は、底面の中央が凸状に突出した曲面形状に成形される。この形状により、組み上げた冷温熱湿布器具を使用者の患部に固定したとき、遠赤外線セラミック板２００の底面が患部に密着して患部に伝達される遠赤外線および暖気や冷気の損失を最小化することができる。
遠赤外線セラミック板２００は、カオリン、スポジュメン、滑石、粘土、長石、セリサイトを混合して成形するが、その配合比は、カオリン３３〜３７重量％、スポジュメン２７〜３３重量％、滑石７〜１０重量％、粘土７〜１０重量％、長石７〜１０重量％およびセリサイト１１〜１５重量％とすることが好ましい。
【００１６】
スポジュメンの配合比が２７重量％未満の場合や、セリサイトの配合比が１１重量％を超える場合は、遠赤外線セラミック板２００の耐熱性が劣化する虞がある。例えば、遠赤外線セラミック板２００の成形のための配合比が、カオリン３３重量％、スポジュメン１２重量％、滑石１０重量％、粘土７重量％、長石８重量％およびセリサイト３０重量％である場合や、カオリン３３重量％、スポジュメン１７重量％、滑石１０重量％、粘土７重量％、長石８重量％およびセリサイト２５重量％である場合、またはカオリン３３重量％、スポジュメン２２重量％、滑石１０重量％、粘土７重量％、長石８重量％およびセリサイト２０重量％である場合は、遠赤外線セラミック板２００の耐熱性が劣ることが分かる。
【００１７】
即ち、遠赤外線セラミック板２００の成形のための配合比が、カオリン３３重量％、スポジュメン２７重量％、滑石１０重量％、粘土７重量％、長石８重量％およびセリサイト１５重量％である場合には、遠赤外線セラミック板２００の全ての性能が適正となる。
例えば、遠赤外線セラミック板２００の成形のための配合比が、カオリン３３重量％、スポジュメン３２重量％、滑石１０重量％、粘土７重量％、長石８重量％およびセリサイト１０重量％である場合は、遠赤外線セラミック板２００の耐熱性に優れた遠赤外線セラミック板２００になる。
【００１８】
一方、遠赤外線セラミック板２００の成形のための配合で、セリサイトの配合比が１１重量％未満の場合には、遠赤外線の放出性能に問題が出る恐れがある。例えば、遠赤外線セラミック板２００の成形のための配合比が、カオリン３３重量％、スポジュメン３７重量％、滑石１０重量％、粘土７重量％、長石８重量％およびセリサイト５重量％である場合は、遠赤外線セラミック板２００の遠赤外線放出性能が劣る遠赤外線セラミック板２００となる。
また、遠赤外線セラミック板２００の成形のための配合で、長石の配合比が７重量％未満になると、焼結問題、即ち、焼成温度が高くなる虞がある。例えば、遠赤外線セラミック板２００の成形のための配合比が、カオリン３３重量％、スポジュメン２７重量％、滑石１０重量％、粘土１０重量％、長石５重量％およびセリサイト１５重量％である場合は、高い焼成温度が必要になる。
【００１９】
反対に、遠赤外線セラミック板２００の成形のための配合で、カオリンの配合比が３３重量％未満の場合には、焼結問題、即ち、焼成温度が低くなる虞がある。例えば、遠赤外線セラミック板２００の成形のための配合比が、カオリン２８重量％、スポジュメン２７重量％、滑石１０重量％、粘土１０重量％、長石１０重量％およびセリサイト１５重量％である場合は、焼結に問題があり、焼成温度が低くなることが分かる。
従って、遠赤外線セラミック板２００の性能を極大化するために、遠赤外線セラミック板２００の成形のための配合比を前出の範囲の配合比とすることがよく、特に、カオリン３３重量％、スポジュメン２７重量％、滑石１０重量％、粘土７重量％、長石８重量％およびセリサイト１５重量％とすることが最も好ましい。
【００２０】
熱電素子３００は、使用者の所望の暖気や冷気を遠赤外線セラミック板２００に供給、即ち、ペルチェ効果により遠赤外線セラミック板２００に熱を放出または熱を吸収するものであって、遠赤外線セラミック板２００の収納空間２２０に組み込まれ、遠赤外線セラミック板２００の上部に固定される。
ここで、「ペルチェ効果」とは、１８３４年にフランスのＪ．Ｃ．Ａ．Ｐｅｌｔｉｅｒが発見した現象であり、互いに異なる二つの素子の両端に直流電圧を加えると、電流の方向によって一方面では吸熱し、反対面では発熱を起こす現象をいう。このようにペルチェ効果を利用した素子を「ペルチェ素子」という。ペルチェ効果は、電子が電位差のある二つの金属の間を動くためにエネルギーを必要とし、それに必要なエネルギーを金属が持っているエネルギーから奪っていくということを基本原理としている。電流が流れる方向を逆向きに変えると、電子および正孔の流れも逆向きに変わり、熱を放出／吸収する面もまた反対になる。
【００２１】
ペルチェ素子の熱電素子の長所は、固体構造を有するため信頼性が高く、半永久的に使用することができ、同じ熱電素子で加熱と冷却の二つの機能を提供し、周囲温度よりもさらに低く冷却でき、適切な制御システムを備えれば、０．０５℃よりもさらに精密に温度を制御することができる。
カバー４００は、プラスチック材質などで成形されたものであって、ケース１００の上部に結合され、遠赤外線セラミック板２００をケース１００内に固定し、ケース１００の内部空間と遠赤外線セラミック板２００の収納空間２２０に結合または収納された遠赤外線セラミック板２００、熱電素子３００、送風ファン５６１、固定パネル５７１および温度調節回路部５００の各構成を保護する。
ケース１００とカバー４００は、ネジ結合やボルト、ナットなどの結合手段により結合される。
【００２２】
温度調節回路部５００は、熱電素子３００は熱電素子３００に供給される電流の方向と電流の強度を調節して熱電素子３００で使用者が必要とする熱、即ち、熱電素子３００の発熱作用や吸熱作用を通して温熱湿布モードや冷熱湿布モードを遂行する。
上記の温度調節回路部５００が、図４に示したとおり、電源を供給する電源部５１０、電源部５１０から供給される電源を「オン／オフ」させる電源スイッチ５２０、遠赤外線セラミック板２００と熱電素子３００との間に配置され、熱電素子３００で発生して遠赤外線セラミック板２００を通して人体の患部に伝達される暖気や冷気の温度を感知する温度センサ５３０、使用者の所望の特定温度や事前に設定した温度帯域の冷熱湿布モードまたは温熱湿布モードを設定する温度調節スイッチ５４０、温度調節スイッチ５４０により設定された特定温度や冷熱湿布モードまたは温熱湿布モードによって熱電素子３００に供給される電流の方向と電流の強度を制御する制御部５５０、および制御部５５０の制御で電源部５１０から熱電素子３００に供給される電流の方向と電流の強度を調節する温度調節部５６０で構成される。この構成により使用者は、遠赤外線を照射しながら熱電素子３００の発熱または吸熱作用を利用して使用者の所望の温度の暖気や冷気を得、事前に設定した冷熱湿布モードや温熱湿布モードで患部を湿布できる。
【００２３】
本発明の他の実施例は、ボンド等の接着剤やネジ等の接合手段により、カバー４００の上面に「コ」字状の折り曲げられた４個のベルトかけ４１１が２列に固定され、２列に配列されたベルトかけ４１１に、その端部にベルクロ（登録商標）テープなどのような連結手段が備えられた固定ベルト４１２が入れられることで、使用者は、冷温熱湿布器具を患部が位置する腰や腕、脚などに固定することができる。
また、本発明のまた他の実施例は、遠赤外線セラミック板２００の収納空間２２０に送風ファン５６１が設けられ、送風ファン５６１を稼働させることにより外部空気を吸入し、熱電素子３００で発生する暖気または冷気を外部に排出する多数の送風口５６２が、カバー４００に形成されることで、熱電素子３００の過熱や過冷却を防止することができる。
また、本発明のさらに他の実施例は、遠赤外線セラミック板２００の上部に固定パネル５７１が配置され、固定パネル５７１の外郭が遠赤外線セラミック板２００とカバー４００との間に挟まれて固定される。固定パネル５７１には、電源部５１０、制御部５５０および温度調節部５６０を固定してケース１００内に収納する。
【００２４】
また、本発明の実施例は、温度調節回路部５００に、標準時刻に関する時刻情報を提供するタイマー５９１、および使用者の所望の作動時間を設定する作動時間設定部５９２が備えられ、制御部５５０がタイマー５９１から提供される時刻情報をカウンティングして、作動時間設定部５９２により設定された作動時間の間、電源部５１０から熱電素子３００に電流が供給されるように制御する。この構成により、使用者は、所望の温度や温熱湿布モードまたは冷熱湿布モードで所望の時間、冷温熱湿布器具を作動させることができる。
即ち、使用者は、作動時間設定部５９２を操作して作動時間を設定し、温度調節スイッチ５４０を操作して、所望の温度や冷湿布モード、温湿布モードまたは冷温湿布並行モードを選択すると、制御部５５０は、冷温熱湿布器具の熱電素子３００に供給される電流の方向と電流の強度を所望の時間調節する。
【００２５】
さらにまた、本発明の他の実施例は、電源部５１０がバッテリーで構成された場合、電源部５１０、即ち、バッテリーに連結された充電端子５８１がケース１００またはカバー４００に設けられ、その一部が外部に露出して設置される。充電端子５８１と電源部５１０との間に、電源部５１０に供給される電源の充電を調節する充電調節部５８２が構成される。充電調節部５８２に冷温熱湿布器具を商用電源を利用して駆動することができるだけでなく、バッテリー電源を利用して場所と時間を選ばずいつでもどこでも駆動することができる。
図１、図２、図４中、符号５９３は、冷温熱湿布器具の各種の動作状態を示すＬＣＤ（液晶ディスプレイ）である。
【００２６】
図５は、図１に示した冷温熱湿布器具の作動を説明するためのフローチャートである。
図５に示したとおり、電源スイッチ５２０が「オン」状態で操作（Ｓ１１）すると、制御部５５０は、温度調節スイッチ５４０によって動作温度や温熱湿布モード、冷熱湿布モードまたは冷温熱湿布モードを設定（Ｓ１２）し、作動時間設定部５９２の操作によって設定された動作温度や温熱湿布モード、冷熱湿布モードまたは冷温熱湿布モードを遂行する動作時間を設定する（Ｓ１３）。
上記のとおり動作モードと動作時間が設定されると、制御部５５０は、温度調節部５６０を駆動して電源部５１０から供給される電源を熱電素子３００に供給すると同時に送風ファン５６１に供給して熱電素子３００と送風ファン５６１を駆動する（Ｓ１４、Ｓ１５）。
【００２７】
上記のとおり熱電素子３００と送風ファン５６１が駆動されると、制御部５５０は、温度センサ５３０により感知（Ｓ１６）される温度の値と事前に設定した温度、または温熱湿布モード、冷熱湿布モード、または冷温熱湿布モードを遂行できる温度範囲に備えて（Ｓ１７）熱電素子３００に供給する電流の方向と電流の強度を調節する（Ｓ１８）。
また、制御部５５０は、使用者が設定した温度、温熱湿布モード、冷熱湿布モードまたは冷温熱湿布モードを遂行する時間をカウンティングして事前に設定された時間が経過したかを確認（Ｓ１９）し、経過しなかった時は、熱電素子３００と送風ファン５６１の駆動を上記のように繰り返して制御する。設定された時間が経過した場合は、熱電素子３００と送風ファン５６１に供給される電源を遮断して冷温熱湿布器具の動作を終了させる（Ｓ２０）。
【００２８】
上記の実施例においては、患部に遠赤外線を照射しながら冷温熱湿布をすることを例として説明したが、本発明は、これに限定されず、患部に症状によって冷温湿布に適した漢方抽出物による冷／温ミストをスプレーして湿布効果を倍加することができる。
ここで、冷ミスト組成物、即ち、漢方抽出物に含まれる漢方薬材は、例えば、メントール０．３ｇ、トウキ０．２ｇ、熟地黄０．２ｇ、白芍０．１ｇ、甘草０．１ｇ、松葉０．１ｇで構成される漢方抽出物を挙げることができる。漢方薬材１００重量％に対するそれぞれの構成成分の含有量は、メントール３０重量％、トウキ２０重量％、熟地黄２０重量％、白芍１０重量％、甘草１０重量％、松葉１０重量％で構成される。
また、温ミスト組成物、即ち、漢方抽出物に含まれる漢方薬材は、例えば、クチナシ１０ｇ、キョウオウ１０ｇ、ショウガ１０ｇ、トウキ１０ｇ、センキュウ１０ｇ、甘草５ｇ、ハッカ１５ｇ、長脳２ｇ、丹参８ｇ、ヨモギ２０ｇで構成される漢方抽出物を挙げることができる。漢方薬材１００重量％に対するそれぞれの構成成分の含有量は、クチナシ１０重量％、キョウオウ１０重量％、ショウガ１０重量％、トウキ１０重量％、センキュウ１０重量％、甘草５重量％、ハッカ１５重量％、長脳２重量％、丹参８重量％、ヨモギ２０重量％で構成される。
【００２９】
以上、本発明の好ましい実施例について説明したが、上記説明は、例示のためのものであって、本発明の権利の及ぶ範囲を限定するものではない。本発明の属する技術の分野における通常の知識を有する者であれは、本発明の技術的思想や必須特徴を変更することなく他の具体的な形態に容易に変形が可能であるということは自明であろう。
【符号の説明】
【００３０】
１００：ケース                  
１１０：支持ジョー
２００：遠赤外線セラミック板    
２１０：係止ジョー
２２０：収納空間                
３００：熱電素子
４００：カバー                  
４１１：ベルトかけ
４１２：固定ベルト
５００：温度調節回路部
５１０：電源部
５２０：電源スイッチ
５３０：温度センサ
５４０：温度調節スイッチ
５５０：制御部
５６０：温度調節部
５６１：送風ファン
５６２：送風口
５７１：固定パネル
５８１：充電端子
５８２：充電調節部
５９１：タイマー
５９２：作動時間設定部
５９３：ＬＣＤ（液晶ディスプレイ）
【図１】
2018094398.tif 000003
【図２】
2018094398.tif 000004
【図３】
2018094398.tif 000005
【図４】
2018094398.tif 000006
【図５】
2018094398.tif 000007